(57)【要約】【課題】親ユーザの管理の下で子ユーザがキャッシュレス決済を行うことを目的とする。【解決手段】子口座作成部１１０は、口座を管理する口座管理装置に管理されている親口座の利用者である親ユーザから、親口座に含まれる通貨を移動する先の子口座の作成の依頼を受け付ける。そして、子口座作成部１１０は、子口座の作成を指示する子口座作成指示２２を口座管理装置に送信する。コード生成部は、子口座を識別する子口座識別情報２３を含む識別コード１２１を生成し、子口座の利用者である子ユーザにより所有される媒体に識別コード１２１を付与する。【選択図】図２
2020047144.tif 000002
【特許請求の範囲】
【請求項１】
口座を管理する口座管理装置に管理されている親口座の利用者である親ユーザから、前記親口座に含まれる通貨を移動する先の子口座の作成の依頼を受け付け、前記子口座の作成を指示する子口座作成指示を前記口座管理装置に送信する子口座作成部と、
前記子口座を識別する子口座識別情報を含む識別コードを生成し、前記子口座の利用者である子ユーザにより所有される媒体に前記識別コードを付与するコード生成部と
を備えたキャッシュレス決済装置。
【請求項２】
前記キャッシュレス決済装置は、
前記子口座から前記子ユーザが支払いをする支払先の口座に支払い金額を決済することを要求する決済要求を、前記支払先から受信すると、前記子口座から前記支払先の口座に前記支払い金額を決済することを指示する決済指示を前記口座管理装置に送信する決済指示部を備えた請求項１に記載のキャッシュレス決済装置。
【請求項３】
前記キャッシュレス決済装置は、
前記親ユーザによる前記子口座に対する処理の依頼を前記親ユーザから受け付け、前記子口座に対する処理を行う子口座処理指示を前記口座管理装置に送信する子口座処理部を備えた請求項１または請求項２に記載のキャッシュレス決済装置。
【請求項４】
前記子口座処理部は、
前記親ユーザにより前記子ユーザに使用が許可された金額の通貨を前記親口座から前記子口座に移動する依頼を、前記子口座に対する処理の依頼として受け付け、前記通貨を前記親口座から前記子口座に移動する前記子口座処理指示を前記口座管理装置に送信する請求項３に記載のキャッシュレス決済装置。
【請求項５】
前記子口座処理部は、
前記子口座にチャージされている金額を参照する依頼を、前記子口座に対する処理の依頼として受け付け、前記子口座にチャージされている金額を取得する前記子口座処理指示を前記口座管理装置に送信する請求項３または請求項４に記載のキャッシュレス決済装置。
【請求項６】
前記子口座処理部は、
前記子口座にチャージされている金額の少なくとも一部を前記親口座に戻す依頼を、前記子口座に対する処理の依頼として受け付け、前記子口座にチャージされている金額の少なくとも一部を前記親口座に戻す前記子口座処理指示を前記口座管理装置に送信する請求項３から請求項５のいずれか１項に記載のキャッシュレス決済装置。
【請求項７】
前記子口座処理部は、
前記子口座の利用を少なくとも一時停止する依頼を、前記子口座に対する処理の依頼として受け付け、前記子口座の利用を少なくとも一時停止する前記子口座処理指示を前記口座管理装置に送信する請求項３から請求項６のいずれか１項に記載のキャッシュレス決済装置。
【請求項８】
口座管理装置に管理されている口座を用いて支払先に決済するキャッシュレス決済装置と通信する前記支払先の支払先装置において、
前記口座管理装置に管理されている親口座に含まれる通貨がチャージされた子口座の利用者である子ユーザから、前記子口座を識別する子口座識別情報を含む識別コードが付与された媒体を介して提示された前記識別コードに含まれる前記子口座識別情報を読み取る読取部と、
前記子口座識別情報に基づいて、前記子口座から前記子ユーザが支払いをする支払先の口座に支払い金額を決済することを要求する決済要求を前記キャッシュレス決済装置に送信する決済要求部と
を備えた支払先装置。
【請求項９】
前記識別コードは、前記子ユーザの属性を表す属性情報を含み、
前記読取部は、
前記識別コードに含まれる前記属性情報を読み取り、
前記決済要求部は、
前記子ユーザの属性が前記属性情報と合致することを表す合致信号を受け付けると、前記決済要求を送信する請求項８に記載の支払先装置。
【請求項１０】
口座管理装置に管理されている口座を用いて支払先に決済するキャッシュレス決済装置と、前記支払先の支払先装置とを有するキャッシュレス決済システムにおいて、
前記キャッシュレス決済装置は、
前記口座管理装置に管理されている親口座の利用者である親ユーザから、前記親口座に含まれる通貨を移動する先の子口座の作成の依頼を受け付け、前記子口座の作成を指示する子口座作成指示を前記口座管理装置に送信する子口座作成部と、
前記子口座を識別する子口座識別情報を含む識別コードを生成し、前記子口座の利用者である子ユーザにより所有される媒体に前記識別コードを付与するコード生成部と
を備え、
前記支払先装置は、
前記子ユーザにより前記媒体を介して提示された前記識別コードに含まれる前記子口座識別情報を読み取る読取部と、
前記子口座識別情報に基づいて、前記子口座から前記子ユーザが支払いをする支払先の口座に支払い金額を決済することを要求する決済要求を前記キャッシュレス決済装置に送信する決済要求部と
を備え、
前記キャッシュレス決済装置は、
前記支払先から前記決済要求を受信すると、前記子口座から前記支払先の口座に前記支払い金額を決済することを指示する決済指示を前記口座管理装置に送信する決済指示部を備えたキャッシュレス決済システム。
【請求項１１】
前記読取部は、
前記子ユーザからパスワードを受け付け、前記子口座識別情報と前記パスワードを前記キャッシュレス決済装置に送信し、
前記キャッシュレス決済装置は、
前記子口座識別情報と前記パスワードに基づいて、前記パスワードの正当性を判定し、前記パスワードの正当性の判定結果を前記支払先装置に送信する判定部を備え、
前記決済要求部は、
前記判定結果により前記子ユーザの正当である場合に、前記決済要求を送信する請求項１０に記載のキャッシュレス決済システム。
【請求項１２】
前記識別コードは、二次元コードであり、
前記コード生成部は、前記二次元コードが付与された前記媒体を子口座カードとして生成する請求項１０または請求項１１に記載のキャッシュレス決済システム。
【請求項１３】
口座管理装置に管理されている口座を用いて支払先に決済するキャッシュレス決済装置と、前記支払先の支払先装置とを有するキャッシュレス決済システムのキャッシュレス決済方法において、
前記キャッシュレス決済装置の子口座作成部が、前記口座管理装置に管理されている親口座の利用者である親ユーザから、前記親口座に含まれる通貨を移動する先の子口座の作成の依頼を受け付け、前記子口座の作成を指示する子口座作成指示を前記口座管理装置に送信し、
前記キャッシュレス決済装置のコード生成部が、前記子口座を識別する子口座識別情報を含む識別コードを生成し、前記子口座の利用者である子ユーザにより所有される媒体に前記識別コードを付与し、
前記支払先装置の読取部が、前記子ユーザにより前記媒体を介して提示された前記識別コードに含まれる前記子口座識別情報を読み取り、
前記支払先装置の決済要求部が、前記子口座識別情報に基づいて、前記子口座から前記子ユーザが支払いをする支払先の口座に支払い金額を決済することを要求する決済要求を前記キャッシュレス決済装置に送信し、
前記キャッシュレス決済装置の決済指示部は、
前記支払先から前記決済要求を受信すると、前記子口座から前記支払先の口座に前記支払い金額を決済することを指示する決済指示を前記口座管理装置に送信するキャッシュレス決済方法。
【請求項１４】
口座を管理する口座管理装置に管理されている親口座の利用者である親ユーザから、前記親口座に含まれる通貨を移動する先の子口座の作成の依頼を受け付け、前記子口座の作成を指示する子口座作成指示を前記口座管理装置に送信する子口座作成処理と、
前記子口座を識別する子口座識別情報を含む識別コードを生成し、前記子口座の利用者である子ユーザにより所有される媒体に前記識別コードを付与するコード生成処理と
をコンピュータに実行させるキャッシュレス決済プログラム。
【請求項１５】
口座管理装置に管理されている口座を用いて支払先に決済するキャッシュレス決済装置と通信する前記支払先の支払先装置の支払先プログラムにおいて、
前記口座管理装置に管理されている親口座に含まれる通貨がチャージされた子口座の利用者である子ユーザから、前記子口座を識別する子口座識別情報を含む識別コードが付与された媒体を介して提示された前記識別コードに含まれる前記子口座識別情報を読み取る読取処理と、
前記子口座識別情報に基づいて、前記子口座から前記子ユーザが支払いをする支払先の口座に支払い金額を決済することを要求する決済要求を前記キャッシュレス決済装置に送信する決済要求処理と
をコンピュータに実行させる支払先プログラム。
【発明の詳細な説明】
【技術分野】
【０００１】
本発明は、キャッシュレス決済サービスを提供する装置およびシステムに関する。
【背景技術】
【０００２】
日本国内では、交通系あるいは流通系の非接触型ＩＣ（Ｉｎｔｅｇｒａｔｅｄ  Ｃｉｒｃｕｉｔ）カードを利用したキャッシュレス決済が普及している。しかし、非接触型ＩＣカードには、現金、クレジットカード、または、スマートフォンあるいはタブレットのようなモバイル端末によりチャージしなければならないといった制約も多い。また、非接触型ＩＣカードは、盗難されると使われてしまうリスクが高い。
例えば、小さいこども、あるいは、お年寄りのように、現金、クレジットカード、あるいはモバイル端末を持たせることができないユーザがいる。これらのユーザは、管理者である親ユーザの管理の下で、キャッシュレス決済を行うことが好ましい。
【０００３】
特許文献１では、プリペイド情報を２次元バーコードとして印刷し、プリペイドカードを発行するシステムが開示されている。
【先行技術文献】
【特許文献】
【０００４】
【特許文献１】特開２００５−２０２４４４号公報
【発明の概要】
【発明が解決しようとする課題】
【０００５】
特許文献１では、予め現金、クレジットカード、あるいはモバイル端末を用いてプリペイドしておく必要がある。また、プリペイドカードのユーザによるキャッシュレス決済を、他のユーザが管理することができない。
【０００６】
本発明は、管理者である親ユーザの管理の下で、決済手段を持ち得ない子ユーザがキャッシュレス決済を行うことを目的とする。
【課題を解決するための手段】
【０００７】
本発明に係るキャッシュレス決済装置は、
口座を管理する口座管理装置に管理されている親口座の利用者である親ユーザから、前記親口座に含まれる通貨を移動する先の子口座の作成の依頼を受け付け、前記子口座の作成を指示する子口座作成指示を前記口座管理装置に送信する子口座作成部と、
前記子口座を識別する子口座識別情報を含む識別コードを生成し、前記子口座の利用者である子ユーザにより所有される媒体に前記識別コードを付与するコード生成部とを備えた。
【０００８】
前記キャッシュレス決済装置は、
前記子口座から前記子ユーザが支払いをする支払先の口座に支払い金額を決済することを要求する決済要求を、前記支払先から受信すると、前記子口座から前記支払先の口座に前記支払い金額を決済することを指示する決済指示を前記口座管理装置に送信する決済指示部を備えた。
【０００９】
前記キャッシュレス決済装置は、
前記親ユーザによる前記子口座に対する処理の依頼を前記親ユーザから受け付け、前記子口座に対する処理を行う子口座処理指示を前記口座管理装置に送信する子口座処理部を備えた。
【００１０】
前記子口座処理部は、
前記親ユーザにより前記子ユーザに使用が許可された金額の通貨を前記親口座から前記子口座に移動する依頼を、前記子口座に対する処理の依頼として受け付け、前記通貨を前記親口座から前記子口座に移動する前記子口座処理指示を前記口座管理装置に送信する。
【００１１】
前記子口座処理部は、
前記子口座にチャージされている金額を参照する依頼を、前記子口座に対する処理の依頼として受け付け、前記子口座にチャージされている金額を取得する前記子口座処理指示を前記口座管理装置に送信する。
【００１２】
前記子口座処理部は、
前記子口座にチャージされている金額の少なくとも一部を前記親口座に戻す依頼を、前記子口座に対する処理の依頼として受け付け、前記子口座にチャージされている金額の少なくとも一部を前記親口座に戻す前記子口座処理指示を前記口座管理装置に送信する。
【００１３】
前記子口座処理部は、
前記子口座の利用を少なくとも一時停止する依頼を、前記子口座に対する処理の依頼として受け付け、前記子口座の利用を少なくとも一時停止する前記子口座処理指示を前記口座管理装置に送信する。
【００１４】
本発明に係る支払先装置は、口座管理装置に管理されている口座を用いて支払先に決済するキャッシュレス決済装置と通信する前記支払先の支払先装置において、
前記口座管理装置に管理されている親口座に含まれる通貨がチャージされた子口座の利用者である子ユーザから、前記子口座を識別する子口座識別情報を含む識別コードが付与された媒体を介して提示された前記識別コードに含まれる前記子口座識別情報を読み取る読取部と、
前記子口座識別情報に基づいて、前記子口座から前記子ユーザが支払いをする支払先の口座に支払い金額を決済することを要求する決済要求を前記キャッシュレス決済装置に送信する決済要求部とを備えた。
【００１５】
前記識別コードは、前記子ユーザの属性を表す属性情報を含み、
前記読取部は、
前記識別コードに含まれる前記属性情報を読み取り、
前記決済要求部は、
前記子ユーザの属性が前記属性情報と合致することを表す合致信号を受け付けると、前記決済要求を送信する。
【００１６】
本発明に係るキャッシュレス決済システムは、口座管理装置に管理されている口座を用いて支払先に決済するキャッシュレス決済装置と、前記支払先の支払先装置とを有するキャッシュレス決済システムにおいて、
前記キャッシュレス決済装置は、
前記口座管理装置に管理されている親口座の利用者である親ユーザから、前記親口座に含まれる通貨を移動する先の子口座の作成の依頼を受け付け、前記子口座の作成を指示する子口座作成指示を前記口座管理装置に送信する子口座作成部と、
前記子口座を識別する子口座識別情報を含む識別コードを生成し、前記子口座の利用者である子ユーザにより所有される媒体に前記識別コードを付与するコード生成部と
を備え、
前記支払先装置は、
前記子ユーザにより前記媒体を介して提示された前記識別コードに含まれる前記子口座識別情報を読み取る読取部と、
前記子口座識別情報に基づいて、前記子口座から前記子ユーザが支払いをする支払先の口座に支払い金額を決済することを要求する決済要求を前記キャッシュレス決済装置に送信する決済要求部と
を備え、
前記キャッシュレス決済装置は、
前記支払先から前記決済要求を受信すると、前記子口座から前記支払先の口座に前記支払い金額を決済することを指示する決済指示を前記口座管理装置に送信する決済指示部を備えた。
【００１７】
前記読取部は、
前記子ユーザからパスワードを受け付け、前記子口座識別情報と前記パスワードを前記キャッシュレス決済装置に送信し、
前記キャッシュレス決済装置は、
前記子口座識別情報と前記パスワードに基づいて、前記パスワードの正当性を判定し、前記パスワードの正当性の判定結果を前記支払先装置に送信する判定部を備え、
前記決済要求部は、
前記判定結果により前記子ユーザの正当である場合に、前記決済要求を送信する。
【００１８】
前記識別コードは、二次元コードであり、
前記コード生成部は、前記二次元コードが付与された前記媒体を子口座カードとして生成する。
【００１９】
本発明に係るキャッシュレス決済方法は、口座管理装置に管理されている口座を用いて支払先に決済するキャッシュレス決済装置と、前記支払先の支払先装置とを有するキャッシュレス決済システムのキャッシュレス決済方法において、
前記キャッシュレス決済装置の子口座作成部が、前記口座管理装置に管理されている親口座の利用者である親ユーザから、前記親口座に含まれる通貨を移動する先の子口座の作成の依頼を受け付け、前記子口座の作成を指示する子口座作成指示を前記口座管理装置に送信し、
前記キャッシュレス決済装置のコード生成部が、前記子口座を識別する子口座識別情報を含む識別コードを生成し、前記子口座の利用者である子ユーザにより所有される媒体に前記識別コードを付与し、
前記支払先装置の読取部が、前記子ユーザにより前記媒体を介して提示された前記識別コードに含まれる前記子口座識別情報を読み取り、
前記支払先装置の決済要求部が、前記子口座識別情報に基づいて、前記子口座から前記子ユーザが支払いをする支払先の口座に支払い金額を決済することを要求する決済要求を前記キャッシュレス決済装置に送信し、
前記キャッシュレス決済装置の決済指示部は、
前記支払先から前記決済要求を受信すると、前記子口座から前記支払先の口座に前記支払い金額を決済することを指示する決済指示を前記口座管理装置に送信する。
【００２０】
本発明に係るキャッシュレス決済プログラムは、
口座を管理する口座管理装置に管理されている親口座の利用者である親ユーザから、前記親口座に含まれる通貨を移動する先の子口座の作成の依頼を受け付け、前記子口座の作成を指示する子口座作成指示を前記口座管理装置に送信する子口座作成処理と、
前記子口座を識別する子口座識別情報を含む識別コードを生成し、前記子口座の利用者である子ユーザにより所有される媒体に前記識別コードを付与するコード生成処理と
をコンピュータに実行させる。
【００２１】
本発明に係る支払先プログラムは、口座管理装置に管理されている口座を用いて支払先に決済するキャッシュレス決済装置と通信する前記支払先の支払先装置の支払先プログラムにおいて、
前記口座管理装置に管理されている親口座に含まれる通貨がチャージされた子口座の利用者である子ユーザから、前記子口座を識別する子口座識別情報を含む識別コードが付与された媒体を介して提示された前記識別コードに含まれる前記子口座識別情報を読み取る読取処理と、
前記子口座識別情報に基づいて、前記子口座から前記子ユーザが支払いをする支払先の口座に支払い金額を決済することを要求する決済要求を前記キャッシュレス決済装置に送信する決済要求処理と
をコンピュータに実行させる。
【発明の効果】
【００２２】
本発明に係るキャッシュレス決済装置によれば、管理者である親ユーザの管理の下で、子ユーザがキャッシュレス決済を安全かつ便利に行うことができる。
【図面の簡単な説明】
【００２３】
【図１】実施の形態１に係るキャッシュレス決済システムの構成図。
【図２】実施の形態１に係るキャッシュレス決済装置の構成図。
【図３】実施の形態１に係る支払先装置の構成図。
【図４】実施の形態１に係るキャッシュレス決済処理のフロー図。
【図５】実施の形態１に係るキャッシュレス決済処理と子口座対応処理のシーケンス図。
【図６】実施の形態１に係る口座関連情報を示す図。
【図７】実施の形態１に係るキャッシュレス決済装置の子口座対応処理のフロー図。
【図８】実施の形態１に係る支払先装置の支払先処理のフロー図。
【図９】実施の形態１に係る支払先処理と決済指示処理のシーケンス図。
【図１０】実施の形態１に係るキャッシュレス決済装置の決済指示処理のフロー図。
【図１１】実施の形態２に係るキャッシュレス決済装置の構成図。
【図１２】実施の形態２に係る支払先装置の構成図。
【図１３】実施の形態２に係る支払先処理のフロー図。
【図１４】実施の形態２に係る判定処理のフロー図。
【図１５】経費清算処理の現状を説明する図。
【図１６】実施の形態３に係る次世代経費清算処理の一例を示す図。
【図１７】実施の形態３に係る二次元コードの読み取りの様子を示す図。
【図１８】実施の形態３に係る次世代経費清算処理の別例を示す図。
【発明を実施するための形態】
【００２４】
以下、本発明の実施の形態について、図を用いて説明する。なお、各図中、同一または相当する部分には、同一符号を付している。実施の形態の説明において、同一または相当する部分については、説明を適宜省略または簡略化する。
【００２５】
実施の形態１．
＊＊＊構成の説明＊＊＊
図１を用いて、本実施の形態に係るキャッシュレス決済システム５００の構成について説明する。
キャッシュレス決済システム５００は、キャッシュレス決済装置１００と支払先装置２００とを有する。
キャッシュレス決済装置１００は、キャッシュレス決済サービスを提供するサービス提供システム１に備えられる。キャッシュレス決済装置１００は、口座を管理する口座管理装置３００と通信し、口座管理装置３００に管理されている口座を用いて支払先に対して決済を行う。口座管理装置３００は、通貨を扱う金融システム３に備えられる。ここで、金融システム３が扱う通貨には、法定通貨、デジタル通貨、地域通貨、仮想通貨、および電子マネーが含まれる。すなわち、口座管理装置３００が管理する口座には、法定通貨、デジタル通貨、地域通貨、仮想通貨、および電子マネーのうちのどの通貨が預金されてもよい。
支払先装置２００は、支払先に備えられる。支払先とは、例えば店舗といった小売店の小売システム２である。支払先装置２００は、キャッシュレス決済装置１００と通信しながら子ユーザ３２１によるキャッシュレス決済を実行する。
【００２６】
キャッシュレス決済システム５００では、親口座３１０を有する親ユーザ３１１が、親口座３１０の一部を子ユーザ３２１に上限付きで使わせることができるキャッシュレス決済サービスを提供する。本実施の形態では、子ユーザ３２１として、小さいこども、あるいは、お年寄りのように、現金、クレジットカード、あるいはモバイル端末を持たせることができないユーザを想定している。モバイル端末は、スマートフォンあるいはタブレットといったデバイスである。これらの子ユーザ３２１は、管理者である親ユーザ３１１の管理下で、キャッシュレス決済を行うことが好ましい。なお、親ユーザ３１１と子ユーザ３２１は同一の人物でも構わない。例えば、子口座３２０を、親ユーザ３１１本人の予備口座（保険口座）として利用することもできる。また、子ユーザ３２１は、親ユーザ３１１とは別人物のおとな、あるいは、法人といった組織でも構わない。
【００２７】
子ユーザ３２１は、識別コード１２１が印刷された子口座カード１９０を店舗で提示することにより、キャッシュレス決済が可能となる。子口座カード１９０は、識別コード１２１が印刷といった手法により付与されていればよく、プラスチックカード、紙カード、あるいは単なる紙でも構わない。子口座カード１９０は、識別コード１２１が付与された媒体１９であって、子ユーザ３２１により所有される媒体１９の例である。なお、カードの表裏で異なる識別コード１２１を記載してもよい。キャッシュレス決済システム５００では、これらの識別コード１２１が指定の順序で認識された場合のみ、これらの識別コード１２１を受け付ける機能を有していてもよい。これにより、写真等に写りこんだ識別コード１２１からカードが偽造されることを防ぐことができる。
【００２８】
図２を用いて、本実施の形態に係るキャッシュレス決済装置１００の構成を説明する。
キャッシュレス決済装置１００は、コンピュータである。キャッシュレス決済装置１００は、プロセッサ９１０を備えるとともに、メモリ９２１、補助記憶装置９２２、入力インタフェース９３０、出力インタフェース９４０、および通信装置９５０といった他のハードウェアを備える。プロセッサ９１０は、信号線を介して他のハードウェアと接続され、これら他のハードウェアを制御する。
【００２９】
キャッシュレス決済装置１００は、機能要素として、子口座作成部１１０とコード生成部１２０と決済指示部１３０と子口座処理部１４０と記憶部１５０とを備える。記憶部１５０には、口座関連情報１５１が記憶されている。
【００３０】
子口座作成部１１０とコード生成部１２０と決済指示部１３０と子口座処理部１４０の機能は、ソフトウェアにより実現される。記憶部１５０は、メモリ９２１に備えられる。
【００３１】
プロセッサ９１０は、キャッシュレス決済プログラムを実行する装置である。キャッシュレス決済プログラムは、子口座作成部１１０とコード生成部１２０と決済指示部１３０と子口座処理部１４０の機能を実現するプログラムである。
プロセッサ９１０は、演算処理を行うＩＣ（Ｉｎｔｅｇｒａｔｅｄ  Ｃｉｒｃｕｉｔ）である。プロセッサ９１０の具体例は、ＣＰＵ、ＤＳＰ（Ｄｉｇｉｔａｌ  Ｓｉｇｎａｌ
Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
【００３２】
メモリ９２１は、データを一時的に記憶する記憶装置である。メモリ９２１の具体例は、ＳＲＡＭ（Ｓｔａｔｉｃ  Ｒａｎｄｏｍ  Ａｃｃｅｓｓ  Ｍｅｍｏｒｙ）、あるいはＤＲＡＭ（Ｄｙｎａｍｉｃ  Ｒａｎｄｏｍ  Ａｃｃｅｓｓ  Ｍｅｍｏｒｙ）である。
補助記憶装置９２２は、データを保管する記憶装置である。補助記憶装置９２２の具体例は、ＨＤＤである。また、補助記憶装置９２２は、ＳＤ（登録商標）メモリカード、ＣＦ、ＮＡＮＤフラッシュ、フレキシブルディスク、光ディスク、コンパクトディスク、ブルーレイ（登録商標）ディスク、ＤＶＤといった可搬の記憶媒体であってもよい。なお、ＨＤＤは、Ｈａｒｄ  Ｄｉｓｋ  Ｄｒｉｖｅの略語である。ＳＤ（登録商標）は、Ｓｅｃｕｒｅ  Ｄｉｇｉｔａｌの略語である。ＣＦは、ＣｏｍｐａｃｔＦｌａｓｈ（登録商標）の略語である。ＤＶＤは、Ｄｉｇｉｔａｌ  Ｖｅｒｓａｔｉｌｅ  Ｄｉｓｋの略語である。
【００３３】
入力インタフェース９３０は、マウス、キーボード、あるいはタッチパネルといった入力装置と接続されるポートである。入力インタフェース９３０は、具体的には、ＵＳＢ（Ｕｎｉｖｅｒｓａｌ  Ｓｅｒｉａｌ  Ｂｕｓ）端子である。なお、入力インタフェース９３０は、ＬＡＮ（Ｌｏｃａｌ  Ａｒｅａ  Ｎｅｔｗｏｒｋ）と接続されるポートであってもよい。キャッシュレス決済装置１００は、入力インタフェース９３０を介して、親ユーザ３１１から子口座作成依頼２１および子口座処理依頼２４を取得する。
出力インタフェース９４０は、ディスプレイあるいはプリンタといった出力機器のケーブルが接続されるポートである。出力インタフェース９４０は、具体的には、ＵＳＢ端子またはＨＤＭＩ（登録商標）（Ｈｉｇｈ  Ｄｅｆｉｎｉｔｉｏｎ  Ｍｕｌｔｉｍｅｄｉａ
Ｉｎｔｅｒｆａｃｅ）端子である。ディスプレイは、具体的には、ＬＣＤ（Ｌｉｑｕｉｄ  Ｃｒｙｓｔａｌ  Ｄｉｓｐｌａｙ）である。また、キャッシュレス決済装置１００は、出力インタフェース９４０を介して、識別コード１２１をプリンタに出力する。
【００３４】
通信装置９５０は、レシーバとトランスミッタを有する。通信装置９５０は、ＬＡＮ、インターネット、あるいは電話回線といった通信網に接続している。通信装置９５０は、具体的には、通信チップまたはＮＩＣ（Ｎｅｔｗｏｒｋ  Ｉｎｔｅｒｆａｃｅ  Ｃａｒｄ）である。キャッシュレス決済装置１００は、通信装置９５０を介して、口座管理装置３００に、子口座作成指示２２、決済指示２７、および子口座処理指示２５を送信する。また、キャッシュレス決済装置１００は、通信装置９５０を介して、口座管理装置３００から、子口座識別情報２３を受信する。また、キャッシュレス決済装置１００は、通信装置９５０を介して、支払先装置２００から決済要求２６を受信する。
なお、キャッシュレス決済装置１００は、通信装置９５０を介して、親ユーザ３１１から子口座作成依頼２１および子口座処理依頼２４を取得してもよい。また、キャッシュレス決済装置１００は、通信装置９５０を介して、識別コード１２１をプリンタに出力してもよい。
【００３５】
図３を用いて、本実施の形態に係る支払先装置２００の構成を説明する。
支払先装置２００は、コンピュータである。支払先装置２００は、プロセッサ９１０を備えるとともに、メモリ９２１、補助記憶装置９２２、入力インタフェース９３０、出力インタフェース９４０、通信装置９５０、および二次元コードリーダ９６０といった他のハードウェアを備える。プロセッサ９１０は、信号線を介して他のハードウェアと接続され、これら他のハードウェアを制御する。
なお、支払先装置２００において、プロセッサ９１０、メモリ９２１、補助記憶装置９２２、入力インタフェース９３０、出力インタフェース９４０、および通信装置９５０には、キャッシュレス決済装置１００と同一符号を付している。これは、支払先装置２００のハードウェアの説明を簡単にするためであり、これらのハードウェアは、キャッシュレス決済装置１００と支払先装置２００との各装置に個別に搭載されていることは明らかである。
【００３６】
二次元コードリーダ９６０は、子ユーザ３２１により提示された子口座カード１９０に付与されている識別コード１２１を読み取る。識別コード１２１は、具体的には、ＱＲコード（登録商標）である。あるいは、識別コード１２１は、バーコードのような他の二次元コードであってもよい。
【００３７】
支払先装置２００は、機能要素として、読取部２１０と決済要求部２２０とを備える。
読取部２１０と決済要求部２２０の機能は、ソフトウェアにより実現される。
支払先プログラムは、読取部２１０と決済要求部２２０の機能を実現するプログラムである。
【００３８】
支払先装置２００は、入力インタフェース９３０を介して、合致信号３１あるいは非合致信号３１ａを取得する。
支払先装置２００は、出力インタフェース９４０を介して、属性情報２１２をディスプレイに表示する。
支払先装置２００は、通信装置９５０を介して、キャッシュレス決済装置１００に決済要求２６を送信する。
【００３９】
キャッシュレス決済プログラムは、コンピュータであるキャッシュレス決済装置１００にキャッシュレス決済処理を実行させる。また、支払先プログラムは、コンピュータである支払先装置２００に支払先処理を実行させる。
キャッシュレス決済プログラムは、プロセッサ９１０に読み込まれ、プロセッサ９１０によって実行される。メモリ９２１には、キャッシュレス決済プログラムだけでなく、ＯＳ（Ｏｐｅｒａｔｉｎｇ  Ｓｙｓｔｅｍ）も記憶されている。プロセッサ９１０は、ＯＳを実行しながら、キャッシュレス決済プログラムを実行する。キャッシュレス決済プログラムおよびＯＳは、補助記憶装置に記憶されていてもよい。補助記憶装置に記憶されているキャッシュレス決済プログラムおよびＯＳは、メモリ９２１にロードされ、プロセッサ９１０によって実行される。なお、キャッシュレス決済プログラムの一部または全部がＯＳに組み込まれていてもよい。支払先プログラムにおいても、キャッシュレス決済プログラムと同様である。
【００４０】
キャッシュレス決済装置１００と支払先装置２００の各装置は、プロセッサ９１０を代替する複数のプロセッサを備えていてもよい。これら複数のプロセッサは、キャッシュレス決済プログラムの実行、あるいは支払先プログラムの実行を分担する。それぞれのプロセッサは、プロセッサ９１０と同じように、キャッシュレス決済プログラムと支払先プログラムの各々を実行する装置である。
【００４１】
キャッシュレス決済プログラムと支払先プログラムの各々により利用、処理または出力されるデータ、情報、信号値および変数値は、メモリ９２１、補助記憶装置９２２、または、プロセッサ９１０内のレジスタあるいはキャッシュメモリに記憶される。
【００４２】
キャッシュレス決済装置１００において、子口座作成部１１０とコード生成部１２０と決済指示部１３０と子口座処理部１４０の各部の「部」を「処理」、「手順」あるいは「工程」に読み替えてもよい。また子口座作成処理とコード生成処理と決済指示処理と子口座対応処理の「処理」を「プログラム」、「プログラムプロダクト」または「プログラムを記録したコンピュータ読取可能な記憶媒体」に読み替えてもよい。
支払先装置２００において、読取部２１０と決済要求部２２０の各部の「部」を「処理」、「手順」あるいは「工程」に読み替えてもよい。また読取処理と決済要求処理の「処理」を「プログラム」、「プログラムプロダクト」または「プログラムを記録したコンピュータ読取可能な記憶媒体」に読み替えてもよい。
【００４３】
キャッシュレス決済プログラムと支払先プログラムの各々は、上記の各部の「部」を「処理」、「手順」あるいは「工程」に読み替えた各処理、各手順あるいは各工程を、コンピュータに実行させる。また、キャッシュレス決済方法は、キャッシュレス決済装置１００がキャッシュレス決済プログラムを実行するとともに、支払先装置２００が支払先プログラムを実行することにより行われる方法である。
キャッシュレス決済プログラムと支払先プログラムの各々は、コンピュータ読取可能な記録媒体に格納されて提供されてもよい。また、キャッシュレス決済プログラムと支払先プログラムの各々は、プログラムプロダクトとして提供されてもよい。
【００４４】
＊＊＊動作の説明＊＊＊
図４は、本実施の形態に係るキャッシュレス決済処理Ｓ１００を示すフロー図である。
図５は、本実施の形態に係るキャッシュレス決済処理Ｓ１００と子口座対応処理Ｓ１１０を示すシーケンス図である。図５は、親ユーザ３１１、子ユーザ３２１、口座管理装置３００、キャッシュレス決済装置１００、および支払先装置２００の間の処理シーケンスを表す。また、キャッシュレス決済処理Ｓ１００と子口座対応処理Ｓ１１０は、キャッシュレス決済装置１００の動作である。
図４と図５を用いて、本実施の形態に係るキャッシュレス決済処理Ｓ１００について説明する。
【００４５】
＜キャッシュレス決済処理Ｓ１００＞
ステップＳ１０１において、子口座作成部１１０は、親口座３１０の利用者である親ユーザ３１１から、親口座３１０に含まれる通貨を移動する先の子口座３２０の作成依頼を子口座作成依頼２１として受け付ける。親口座３１０は、口座を管理する口座管理装置３００に管理されている。具体的には、子口座作成部１１０は、入力インタフェース９３０を介して、親ユーザ３１１から子口座作成依頼２１を取得する。あるいは、親ユーザ３１１は、スマートフォンあるいはタブレットといったモバイル端末、またはＰＣ（Ｐｅｒｓｏｎａｌ  Ｃｏｍｐｕｔｅｒ）にダウンロードされたアプリケーションを用いて、子口座作成依頼２１をキャッシュレス決済装置１００に送信してもよい。また、上記モバイル端末またはＰＣにおいて、Ｗｅｂ（Ｗｏｒｌｄ  Ｗｉｄｅ  Ｗｅｂ）を利用してもよい。子口座作成依頼２１には、親口座３１０を識別する親口座識別情報２１１と、子口座３２０の利用者である子ユーザ３２１の属性を表す属性情報２１２とが含まれる。
【００４６】
ステップＳ１０２において、子口座作成部１１０は、子口座３２０の作成を指示する子口座作成指示２２を口座管理装置３００に送信する。子口座作成指示２２には、親口座識別情報２１１が含まれる。口座管理装置３００は、子口座作成指示２２を受信すると、親口座識別情報２１１により識別される親口座３１０に対応付けられた子口座３２０を作成する。そして、口座管理装置３００は、子口座３２０を識別する子口座識別情報２３をキャッシュレス決済装置１００に送信する。
ステップＳ１０３において、子口座作成部１１０は、口座管理装置３００から子口座識別情報２３を受信する。
【００４７】
ステップＳ１０４において、コード生成部１２０は、子口座識別情報２３を含む識別コード１２１を生成する。また、コード生成部１２０は、識別コード１２１に、子ユーザ３２１の属性を表す属性情報２１２を含める。識別コード１２１は、具体的には、ＱＲコード（登録商標）である。コード生成部１２０は、子口座３２０の利用者である子ユーザ３２１により所有される媒体１９に識別コード１２１を付与する。具体的には、コード生成部１２０は、出力インタフェース９４０を介して、識別コード１２１をプリンタに出力する。そして、プリンタにより識別コード１２１が媒体１９に印刷される。媒体１９は、プラスチックカード、紙カード、あるいは単なる紙でもよい。以降、識別コード１２１が付与された媒体１９を子口座カード１９０という。子口座カード１９０は、子ユーザ３２１に渡され、子ユーザ３２１により所持される。
【００４８】
ステップＳ１０５において、子口座作成部１１０は、親口座識別情報２１１と、子口座識別情報２３と、属性情報２１２とを、口座関連情報１５１に設定する。
【００４９】
図６を用いて、本実施の形態に係る口座関連情報１５１について説明する。
口座関連情報１５１には、親口座識別情報５１１と、子口座識別情報５１２と、属性情報５１３とが設定される。親口座識別情報５１１には、子口座作成依頼２１に含まれる親口座識別情報２１１が設定される。子口座識別情報５１２には、口座管理装置３００から受信した子口座識別情報２３が設定される。属性情報５１３には、子口座作成依頼２１に含まれる属性情報２１２が設定される。属性情報２１２には、子ユーザ３２１の年齢あるいは性別といった属性を表す情報が設定されている。また、属性情報２１２には、パスワードが設定されていてもよい。パスワードを用いたキャッシュレス決済方法については、実施の形態２で説明する。なお、パスワードには、指紋認証、虹彩認証、あるいは顔認証といった生体認証に利用される生体情報も含まれる。
【００５０】
図４および図５では、ステップＳ１０４において識別コード１２１を生成し、子口座カード１９０を作成した後に、ステップＳ１０５において口座関連情報１５１の設定を行っている。しかし、子口座作成部１１０が口座関連情報１５１の設定を行った後に、図６に示すようにコード生成部１２０が口座関連情報１５１に設定されている情報を用いて、識別コード１２１を作成してもよい。すなわち、ステップＳ１０４とステップＳ１０５の順番を入れ替えてもよい。
【００５１】
図７は、本実施の形態に係る子口座対応処理Ｓ１１０を示すフロー図である。
図５と図７を用いて、本実施の形態に係る子口座対応処理Ｓ１１０について説明する。
【００５２】
＜子口座対応処理Ｓ１１０＞
ステップＳ１１１において、子口座処理部１４０は、親ユーザ３１１による子口座３２０に対する処理の依頼を親ユーザ３１１から受け付ける。親ユーザ３１１による子口座３２０に対する処理の依頼を子口座処理依頼２４とする。具体的には、子口座処理部１４０は、入力インタフェース９３０を介して、親ユーザ３１１から子口座処理依頼２４を取得する。あるいは、親ユーザ３１１は、スマートフォンあるいはタブレットといったモバイル端末、またはＰＣにダウンロードされたアプリケーションを用いて、子口座処理依頼２４をキャッシュレス決済装置１００に送信してもよい。また、上記モバイル端末またはＰＣにおいて、Ｗｅｂを利用してもよい。
図５では、子口座処理部１４０は、親ユーザ３１１により子ユーザ３２１に使用が許可された金額の通貨を親口座３１０から子口座３２０に移動する依頼、すなわちチャージ依頼を、子口座処理依頼２４として受け付けている。
【００５３】
ステップＳ１１２において、子口座処理部１４０は、子口座３２０に対する処理を行う子口座処理指示２５を口座管理装置３００に送信する。
図５では、子口座処理部１４０は、通貨を親口座３１０から子口座３２０に移動する子口座処理指示２５、すなわちチャージ指示を口座管理装置３００に送信している。口座管理装置３００では、子口座処理指示２５に基づいて、親口座３１０から子口座３２０にチャージ金額分の通貨がチャージされる。口座管理装置３００では、子口座３２０へのチャージが完了したことを示す処理結果をキャッシュレス決済装置１００に送信してもよい。
【００５４】
親ユーザ３１１は子ユーザ３２１の管理者として、子口座３２０へのチャージの他に、子口座３２０の参照処理、親口座３１０から子口座３２０へ通貨を戻す処理、および子口座３２０の一時停止あるいは廃止といった処理を依頼することができる。
【００５５】
具体的には、子口座処理部１４０は、子口座３２０にチャージされている金額を参照する依頼を子口座処理依頼２４として受け付ける。子口座処理部１４０は、子口座処理依頼２４に基づいて、子口座３２０にチャージされている金額を取得する子口座処理指示２５を口座管理装置３００に送信する。口座管理装置３００では、子口座処理指示２５に基づいて、子口座３２０にチャージされているチャージ金額を取得し、チャージ金額を含む処理結果をキャッシュレス決済装置１００に送信する。
また、子口座処理部１４０は、子口座３２０にチャージされている金額の少なくとも一部を親口座３１０に戻す依頼を子口座処理依頼２４として受け付ける。子口座処理部１４０は、子口座処理依頼２４に基づいて、子口座３２０にチャージされている金額の少なくとも一部を親口座３１０に戻す子口座処理指示２５を口座管理装置３００に送信する。
また、子口座処理部１４０は、子口座３２０の利用を少なくとも一時停止する依頼を子口座処理依頼２４として受け付ける。子口座処理部１４０は、子口座処理依頼２４に基づいて、子口座３２０の利用を少なくとも一時停止する子口座処理指示２５を口座管理装置３００に送信する。子口座３２０の利用を少なくとも一時停止する子口座処理依頼２４には、期間を限定して子口座３２０を停止する依頼と子口座３２０を廃止する依頼とが含まれる。
【００５６】
図８は、本実施の形態に係る支払先処理Ｓ２００を示すフロー図である。
図９は、本実施の形態に係る支払先処理Ｓ２００と決済指示処理Ｓ１２０を示すシーケンス図である。図８は、親ユーザ３１１、子ユーザ３２１、口座管理装置３００、キャッシュレス決済装置１００、および支払先装置２００の間の処理シーケンスを表す。支払先処理Ｓ２００は、支払先装置２００の動作である。決済指示処理Ｓ１２０は、キャッシュレス決済装置１００の動作である。
【００５７】
図８と図９を用いて、本実施の形態に係る支払先処理Ｓ２００について説明する。支払先処理Ｓ２００とは、子ユーザ３２１が店舗といった支払先の小売システム２において支払いをする際の処理である。上述したように、子ユーザ３２１は、子口座３２０の利用者である。子口座３２０には、親ユーザ３１１により、口座管理装置３００に管理されている親口座３１０に含まれる通貨がチャージされる。
【００５８】
＜支払先処理Ｓ２００＞
ステップＳ２０１において、支払い金額がタブレットのような表示機器により子ユーザ３２１に提示される。
ステップＳ２０２において、子ユーザ３２１から、識別コード１２１が付与された子口座カード１９０が提示される。具体的には、子ユーザ３２１は、タブレットに表示された支払い金額が正しいかを確認し、支払い金額が正しければ子口座カード１９０を提示する。
【００５９】
ステップＳ２０３において、支払先装置２００の読取部２１０は、提示された識別コード１２１に含まれる子口座識別情報２３を読み取る。また、読取部２１０は、識別コード１２１に含まれる属性情報２１２を読み取る。具体的には、まず、二次元コードリーダ９６０により、ＱＲコード（登録商標）である識別コード１２１を読み取る。読取部２１０は、二次元コードリーダ９６０から子口座識別情報２３と属性情報２１２とを取得する。
【００６０】
ステップＳ２０４において、決済要求部２２０は、子ユーザ３２１の属性が属性情報２１２に合致しているかを判定する。合致している場合は、ステップＳ２０５に進む。合致していない場合は、ステップＳ２０６に進む。
具体的には、読取部２１０は、二次元コードリーダ９６０から子口座識別情報２３と属性情報２１２とを取得すると、属性情報２１２をタブレットに表示する。そして、例えば、支払先の店員が、タブレットに表示された子ユーザ３２１の属性と、子口座カード１９０を提示した子ユーザ３２１の属性とが合致しているかを判断する。支払先の店員は、合致していると判断した場合、タブレットから合致信号３１を送信する。また、支払先の店員は、合致していないと判断した場合、タブレットから非合致信号３１ａを送信する。具体的には、読取部２１０は、属性情報２１２をタブレットに表示すると同時に、「属性はＯＫか」といった確認欄を表示する。そして、ＯＫボタンが押されると、支払先装置２００は、入力インタフェース９３０を介して、ＯＫボタンの信号を合致信号３１として取得する。また、ＮＧボタンが押されると、支払先装置２００は、入力インタフェース９３０を介して、ＮＧボタンの信号を非合致信号３１ａとして取得する。
【００６１】
ステップＳ２０５において、決済要求部２２０は、決済要求２６をキャッシュレス決済装置１００に送信する。決済要求２６は、子口座識別情報２３に基づいて、子口座３２０から子ユーザ３２１が支払いをする支払先の口座に支払い金額を決済することを要求する。具体的には、決済要求部２２０は、子ユーザ３２１の属性が属性情報２１２と合致することを表す合致信号３１を受け付けると、決済要求２６を送信する。決済要求２６には、子口座識別情報２３と、支払先の口座の情報と、支払い金額が含まれる。
【００６２】
ステップＳ２０６では、決済要求部２２０は、「属性が合致しないため、決済できません」といったエラー表示をタブレットに表示する。
【００６３】
図１０は、本実施の形態に係る決済指示処理Ｓ１２０を示すフロー図である。
図８と図１０を用いて、本実施の形態に係る決済指示処理Ｓ１２０について説明する。
【００６４】
＜決済指示処理Ｓ１２０＞
ステップＳ１２１において、決済指示部１３０は、支払先から決済要求２６を受信する。
ステップＳ１２２において、決済指示部１３０は、子口座３２０から支払先の口座に支払い金額を決済することを指示する決済指示２７を口座管理装置３００に送信する。口座管理装置３００は、決済指示２７を受信すると、子口座３２０から支払先の口座に支払い金額を決済する。
【００６５】
＊＊＊他の構成＊＊＊
＜変形例１＞
本実施の形態では、支払先装置２００は、キャッシュレス決済装置１００に決済要求を送信し、キャッシュレス決済装置１００が口座管理装置３００に決済指示を送信していた。しかし、支払先装置２００は、直接、口座管理装置３００に決済指示を送信してもよい。
なお、キャッシュレス決済装置１００が一旦、決済要求を受信することにより、親ユーザ３１１が子ユーザ３２１を管理するための各種のサービスを提供することができる。親ユーザ３１１が子ユーザ３２１を管理するための各種のサービスの例には、決済要求が発生したことを親ユーザ３１１に知らせるサービス、あるいは、決済要求の支払い金額について親ユーザ３１１から承認をもらうサービスといった例がある。
【００６６】
＜変形例２＞
本実施の形態では、キャッシュレス決済装置１００において、子口座作成部１１０とコード生成部１２０と決済指示部１３０と子口座処理部１４０の機能がソフトウェアで実現される。変形例として、子口座作成部１１０とコード生成部１２０と決済指示部１３０と子口座処理部１４０の機能がハードウェアで実現されてもよい。また、本実施の形態では、支払先装置２００において、読取部２１０と決済要求部２２０の機能がソフトウェアで実現される。変形例として、読取部２１０と決済要求部２２０の機能がハードウェアで実現されてもよい。
【００６７】
本実施の形態の変形例２に係るキャッシュレス決済装置１００および支払先装置２００について説明する。
キャッシュレス決済装置１００および支払先装置２００の各装置は、プロセッサに替えて電子回路を備える。
【００６８】
キャッシュレス決済装置１００において、電子回路は、子口座作成部１１０とコード生成部１２０と決済指示部１３０と子口座処理部１４０の機能を実現する専用の電子回路である。支払先装置２００において、電子回路は、読取部２１０と決済要求部２２０の機能を実現する専用の電子回路である。
電子回路は、具体的には、単一回路、複合回路、プログラム化したプロセッサ、並列プログラム化したプロセッサ、ロジックＩＣ、ＧＡ、ＡＳＩＣ、または、ＦＰＧＡである。ＧＡは、Ｇａｔｅ  Ａｒｒａｙの略語である。ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略語である。ＦＰＧＡは、Ｆｉｅｌｄ−Ｐｒｏｇｒａｍｍａｂｌｅ  Ｇａｔｅ  Ａｒｒａｙの略語である。
キャッシュレス決済装置１００および支払先装置２００の各装置の機能要素は、１つの電子回路で実現されてもよいし、複数の電子回路に分散して実現されてもよい。
別の変形例として、キャッシュレス決済装置１００および支払先装置２００の各装置の機能要素の一部の機能が電子回路で実現され、残りの機能がソフトウェアで実現されてもよい。
【００６９】
プロセッサと電子回路の各々は、プロセッシングサーキットリとも呼ばれる。つまり、キャッシュレス決済装置１００および支払先装置２００の各装置の機能要素は、プロセッシングサーキットリにより実現される。
【００７０】
＜変形例３＞
子口座に対する機能として、月次あるいは週次といった定期の定期オートチャージの機能を有していてもよい。
また、子口座の金額が一定金額を下回ったら、予め決めた金額を補充する閾値判断のオートチャージ機能を有していてもよい。オプション機能としては、例えば、親口座に十分な金額がない場合は、子口座に補充しない、あるいは、可能額のみ補充するといった機能がある。また、一定期間の総合計金額を別途確定しておき、このルールを優先し、総合計金額に達するまで補充を繰り返すといったオプション機能があってもよい。
【００７１】
＊＊＊本実施の形態の効果の説明＊＊＊
本実施の形態に係るキャッシュレス決済装置では、管理者である親ユーザの管理の下で、決済手段を持ち得ない子ユーザがキャッシュレス決済を行うことができる。決済手段を持ち得ない子ユーザとは、例えば、スイカ（登録商標）等のＮＦＣ（Ｎｅａｒ  Ｆｉｅｌｄ  Ｃｏｍｍｕｎｉｃａｔｉｏｎ）、クレジットカード、デビットカードあるいはＱＲコード（登録商標）に代表されるモバイル決済といった手段を持ち得ない子ユーザである。よって、お年寄りあるいは小さい子どものように、キャッシュレス決済ができないユーザ、いわゆる支払難民あるいは決済難民を救済することができる。
【００７２】
本実施の形態に係るキャッシュレス決済システムでは、キャッシュレス決済装置が一旦、決済要求を受信する。よって、キャッシュレス決済装置が、決済要求の発生を親ユーザに知らせるサービス、あるいは、支払い金額について親ユーザの承認を得るサービス等を提供することができる。また、本実施の形態に係るキャッシュレス決済システムでは、親ユーザによる子口座に対する処理の依頼を受け付け、子口座に対する処理を行う子口座処理指示を口座管理装置に送信する。よって、親ユーザが子ユーザを管理するための各種のサービスを提供することができる。
【００７３】
現状の交通系あるいは流通系の非接触型ＩＣカードあるいはプリペイドカードでは、盗難されると使われてしまうリスクが高い。しかし、本実施の形態に係るキャッシュレス決済システムでは、子ユーザの属性をチェックする機能を有しているので、盗難された場合でも、使われてしまうリスクを低くすることができる。
【００７４】
本実施の形態に係るキャッシュレス決済システムでは、買手はモバイル端末といったデバイスを必要とせず、売手側も高価な読取装置は不要となる。また、チャージもオンラインで実施され、現金が介在しないため、物理的および時間的制約がなく、効率的な使用が可能となる。
【００７５】
実施の形態２．
本実施の形態では、主に、実施の形態１と異なる点について説明する。なお、実施の形態１と同様の構成には同一の符号を付し、その説明を省略する場合がある。
【００７６】
＊＊＊構成の説明＊＊＊
図１１を用いて、本実施の形態に係るキャッシュレス決済装置１００ａの構成について説明する。本実施の形態に係るキャッシュレス決済装置１００ａは、実施の形態１のキャッシュレス決済装置１００構成に加え、判定部１６０を備える。
判定部１６０は、支払先装置２００から、子口座識別情報２３とパスワード３２を含む判定要求３３を受信する。判定部１６０は、子口座識別情報２３とパスワード３２に基づいて、パスワード３２の正当性を判定し、パスワード３２の正当性の判定結果３４を支払先装置２００に送信する。
【００７７】
図１２を用いて、本実施の形態に係る支払先装置２００ａの構成について説明する。本実施の形態に係る支払先装置２００ａでは、読取部２１０がパスワード３２を取得し、パスワード３２の正当性を判定する判定要求３３をキャッシュレス決済装置１００ａに送信する。また、決済要求部２２０は、キャッシュレス決済装置１００ａから判定結果３４を受信し、パスワード３２が正当である場合に決済要求２６をキャッシュレス決済装置１００ａに送信する。
【００７８】
＊＊＊動作の説明＊＊＊
図１３を用いて、本実施の形態に係る支払先処理Ｓ２００ａについて説明する。
ステップＳ２０１からステップＳ２０４までの処理は、実施の形態１の図８と同様である。
ステップＳ２１１において、読取部２１０は、入力インタフェース９３０を介して、パスワード３２を取得する。具体的には、子ユーザ３２１の属性が属性情報２１２と合致すると判定されると、パスワード入力画面がタブレットに表示される。そして、子ユーザ３２１により、パスワード入力画面を介してパスワード３２が入力される。
ステップＳ２１２において、読取部２１０は、子口座識別情報２３とパスワード３２とを含む判定要求３３をキャッシュレス決済装置１００ａに送信する。判定要求３３は、パスワード３２が、子口座識別情報２３により識別される子口座３２０に対応するものとして正当であるかを判定する要求である。
ステップＳ２１３において、決済要求部２２０は、キャッシュレス決済装置１００ａから判定結果３４を受信し、パスワード３２が正当であるか否かを判定する。パスワード３２が正当であるとの判定結果３４の場合、決済要求部２２０は、ステップＳ２０５に進む。パスワード３２が正当でないとの判定結果３４の場合、決済要求部２２０は、ステップＳ２０６に進む。
【００７９】
ステップＳ２０５とステップＳ２０６は、実施の形態１の図８と同様である。ただし、パスワード３２が正当でない場合のエラー表示は、例えば、「パスワードが違うため、決済できません」といった内容となる。
【００８０】
次に、図１４を用いて、本実施の形態に係る判定処理Ｓ１３０について説明する。
ステップＳ１３１において、判定部１６０は、支払先装置２００から判定要求３３を受信する。判定要求３３には、子口座識別情報２３とパスワード３２が含まれる。
ステップＳ１３２において、判定部１６０は、子口座識別情報２３とパスワード３２と口座関連情報１５１とに基づいて、パスワード３２の正当性を判定する。本実施の形態では、口座関連情報１５１の属性情報５１３に、パスワードが登録されているものとする。判定部１６０は、口座関連情報１５１において、判定要求３３に含まれる子口座識別情報２３に対応する属性情報５１３のパスワードと、判定要求３３に含まれるパスワード３２とを比較する。判定部１６０は、両者が一致すればパスワード３２が正当であると判定し、両者が一致しなければパスワード３２が正当でないと判定する。
ステップＳ１３２において、判定部１６０は、パスワード３２が正当であると判定するとパスワード３２が正当であるとの判定結果３４を送信し、パスワード３２が正当でないと判定するとパスワード３２が正当でないとの判定結果３４を送信する。
【００８１】
＊＊＊本実施の形態の効果の説明＊＊＊
本実施の形態に係るキャッシュレス決済システムでは、決済時に子ユーザからパスワードを受け付ける。そして、キャッシュレス決済装置が、パスワードの正当性を判定する。よって、本実施の形態に係るキャッシュレス決済システムによれば、安全性の高いキャッシュレス決済サービスを提供することができる。
【００８２】
実施の形態３．
本実施の形態では、実施の形態１および２のキャッシュレス決済システムを応用したバリエーションについて説明する。
【００８３】
図１５は、Ａ社の社員である利用者がタクシーを利用した場合の現状の立替え清算処理を説明する図である。
Ｉ．サービス利用時における（１−１）では、利用者がタクシーを利用する。現状では、タクシー乗車にあたり利用者は特段の準備は不要である。（１−２）において、利用者は、降車時に現金あるいはクレジットカードといった決済方法を指定して支払いを実施する。（１−３）において、タクシー側から利用者は領収書を受領する。
ＩＩ．社内経理処理における（２−１）では、利用者は、Ａ社のシステムへデータを登録するとともに、領収書を書面へ添付し、Ａ社の経理管理部門に経費の申請を行う。（２−２）において、経理管理部門は、領収書の保存および管理を行い、領収書を現物保管するとともに、利用者に対して経費の申請に対する受付結果を通知する。（２−３）において、経理管理部門で集計の上、利用者毎の給与口座に振込み指示を行う。
ＩＩＩ．振込処理（立替え清算）における（３−１）では、Ａ社の経理管理部門は企業口座であるＡ社口座から、各利用者の給与口座である利用者口座への振込み指示を銀行に通知する。（３−２）では、利用者による振込み金額の確認が行われる。利用者は、立替分と振込み金額の差異を確認し、万が一、不一致の場合は社内関連部門との調整を行う。
【００８４】
以上のように、現状では、社員である利用者が、社用でタクシー乗車といったサービスを利用した場合、利用者が代金を立て替え、経理管理部門に立替え申請を行う必要がある。また、経理管理部門は、領収書を現物保管するとともに、振込み指示を銀行に送信する必要がある。
【００８５】
本実施の形態では、実施の形態１および２のキャッシュレス決済システムを応用して、Ａ社の社員である利用者が経費を清算する態様について説明する。
【００８６】
図１６は、本実施の形態に係る次世代経費清算処理の一例を示す図である。
図１６では、利用者が社用でタクシー会社のタクシーに乗車した場合に、利用者側が二次元コードを提示し、タクシー側が二次元コードを読み込む態様の次世代経費清算処理を示している。
【００８７】
図１６のＩ．サービス利用開始時における（４−１）では、キャッシュレス決済サービスを提供するサービス提供システムは、タクシー会社の収納代行企業として、タクシー会社と収納代行契約を結ぶ。Ａ社は、キャッシュレス決済サービスを利用する利用企業である。（４−２）では、サービス提供システムは、Ａ社と、キャッシュレス決済サービス契約を結ぶ。（４−３）では、サービス提供システムは、二次元コードを発行する。Ａ社の社員である利用者は二次元コードを所持する。なお、二次元コードは、タクシー会社とＡ社との間でキャッシュレス決済を行うことが許可された利用者を認証する認証コードである。例えば、二次元コードには、利用者を特定する情報が含まれる。二次元コードは、具体的には、ＱＲコード（登録商標）である。また、二次元コードは、カードあるいは紙に付与されていてもよいし、スマートフォンあるいはタブレットといったモバイル端末に表示されてもよい。
【００８８】
次に、図１６ＩＩ．サービス利用および清算時における（５−１）では、利用者にタクシー乗車サービスが提供される。タクシー側には、二次元コードリーダを有する小売システムに相当する装置が搭載される。小売システムに相当する装置をタクシー側装置とする。
（５−２）において、降車時に、利用者が二次元コードを提示する。タクシー側では、二次元コードリーダにより二次元コードを読み込む。利用者の二次元コード提示により利用者が特定される。
図１７は、本実施の形態に係る二次元コードの読み取りの様子を示している。利用者が二次元コードを提示している。タクシーのドライバーといったタクシー側は、タクシー側装置の二次元コードリーダにより二次元コードを読み取る。
【００８９】
二次元コードリーダが二次元コードを読み取ると、（５−３）において、タクシー側装置は、タクシーメータ等の乗車データと二次元コードの内容とを紐付け、請求データを作成する。タクシー側装置は、サービス提供システムとタクシー会社に、請求データを通知する。請求データは、サービス提供システムに送信される決済要求に相当する。サービス提供システムは、請求データを受信すると、請求データに含まれる利用者に、請求データを通知する。これにより、利用者は、請求データの内容が正しいか否かを確認できる。
（５−４）において、サービス提供システムは、請求データを集計して、利用企業であるＡ社に一括請求する。
（５−５）および（５−６）において、サービス提供システムは、利用企業からの支払い額から手数料を引き去り、残りをタクシー会社に支払う。なお、支払いタイミングは、利用企業であるＡ社からの入金前でも後でもよい。例えば、サービス提供システムは、金融システムの口座管理装置が管理しているＡ社口座からタクシー会社の口座に通貨を移動することを指示する決済指示を、口座管理装置に送信することで、支払いを行う。
【００９０】
また、図１８は、本実施の形態に係る次世代経費清算処理の別例を示す図である。図１８では、利用者が社用でタクシー会社のタクシーに乗車した場合に、タクシー側が二次元コードを提示し、利用者が二次元コードを読み込む次世代経費清算処理を示している。
【００９１】
Ｉ．サービス利用開始時における（４−１）と（４−２）は図１６と同様である。
（４−３）’において、利用者は、スマートフォンといったモバイル端末またはＰＣに専用アプリケーションをダウンロードして会員登録を実施する。また、上記モバイル端末またはＰＣにおいて、Ｗｅｂを利用してもよい。
【００９２】
次に、図１８のＩＩ．サービス利用および清算時における（６−１）では、利用者にタクシー乗車サービスが提供される。タクシー側装置は、乗車履歴および請求内容が含まれる二次元コードを生成する。利用者の降車時には、タクシーのドライバーにより、二次元コードが提示される。二次元コードの提示により、乗車履歴および請求内容が特定される。
（６−２）において、利用者は、モバイル端末またはＰＣの専用アプリケーションを用いて、二次元コードを読み取る。また、上記モバイル端末またはＰＣにおいて、Ｗｅｂを利用してもよい。モバイル端末は、支払者、すなわち請求先のデータと、二次元コードの内容である乗車履歴および請求内容とを紐付け、請求データを作成する。
（６−３）において、モバイル端末は、タクシー側装置と、サービス提供システムと、Ａ社とに、請求データを通知する。タクシー側装置は、請求データを受信すると、サービス提供システムとタクシー会社とに通知する。
（６−４）において、サービス提供システムは、請求データを集計して、利用企業であるＡ社に一括請求する。
（６−５）および（６−６）において、サービス提供システムは、利用企業からの支払い額から手数料を引き去り、残りをタクシー会社に支払う。なお、支払いタイミングは、利用企業であるＡ社からの入金前でも後でもよい。例えば、サービス提供システムは、金融システムの口座管理装置が管理しているＡ社口座からタクシー会社の口座に通貨を移動することを指示する決済指示を、口座管理装置に送信することで、支払いを行う。
【００９３】
なお、本実施の形態では、タクシー会社を、Ａ社の社員である利用者にタクシー乗車サービスを提供する会社として説明した。その他にも、宿泊施設、交通機関、あるいは、飲食店のように、利用者が社用で利用するサービスであればどのようなサービスでも適用することができる。
【００９４】
本実施の形態に係る次世代経費清算処理によれば、利用者は、社内経費申請の手間がなくなる。
【００９５】
本実施の形態に係る次世代経費清算処理によれば、利用者所属企業では、領収書の保存および管理業務が不要になる。また、利用者所属企業では、立替え金額の清算に伴う振込処理が不要になる。また、利用者所属企業では、振込回数が削減されるため、銀行への手数料を削減できる。また、利用者所属企業では、経費の利用状況等の可視化が促進されるため、予算統制等が強化される。
【００９６】
本実施の形態に係る次世代経費清算処理によれば、タクシー側では、クレジットカード等の読取端末が不要になり、現金の扱いも減る。また、通常、タクシー側では、利用顧客がどこの企業に所属しているかは、知ることができない。しかし、本実施の形態に係る次世代経費清算処理によれば、利用企業とその従業員の利用履歴から、効率的な配車を実現するためのデータを取得することができる。
【００９７】
以上の実施の形態１から３では、キャッシュレス決済システムの各装置の各部を独立した機能ブロックとして説明した。しかし、キャッシュレス決済システムの各装置の構成は、上述した実施の形態のような構成でなくてもよい。キャッシュレス決済システムの各装置の機能ブロックは、上述した実施の形態で説明した機能を実現することができれば、どのような構成でもよい。また、キャッシュレス決済システムの各装置は、１つの装置でなく、複数の装置から構成されたシステムでもよい。
また、実施の形態１から３のうち、複数の部分を組み合わせて実施しても構わない。あるいは、これらの実施の形態のうち、１つの部分を実施しても構わない。その他、これら実施の形態を、全体としてあるいは部分的に、どのように組み合わせて実施しても構わない。
すなわち、実施の形態１から３では、各実施の形態の自由な組み合わせ、あるいは各実施の形態の任意の構成要素の変形、もしくは各実施の形態において任意の構成要素の省略が可能である。
【００９８】
なお、上述した実施の形態は、本質的に好ましい例示であって、本発明の範囲、本発明の適用物の範囲、および本発明の用途の範囲を制限することを意図するものではない。上述した実施の形態は、必要に応じて種々の変更が可能である。
【符号の説明】
【００９９】
１  サービス提供システム、２  小売システム、３  金融システム、１９  媒体、２１
子口座作成依頼、２１２，５１３  属性情報、２２  子口座作成指示、２３，５１２  子口座識別情報、２４  子口座処理依頼、２５  子口座処理指示、２６  決済要求、２７
決済指示、３１  合致信号、３１ａ  非合致信号、３２  パスワード、３３  判定要求、３４  判定結果、２００，２００ａ  支払先装置、２１０  読取部、２１１，５１１  親口座識別情報、２２０  決済要求部、１００，１００ａ  キャッシュレス決済装置、１１０  子口座作成部、１２０  コード生成部、１２１  識別コード、１３０  決済指示部、１４０  子口座処理部、１５０  記憶部、１５１  口座関連情報、１６０  判定部、１９０  子口座カード、３００  口座管理装置、３１０  親口座、３１１  親ユーザ、３２０  子口座、３２１  子ユーザ、５００  キャッシュレス決済システム、９１０  プロセッサ、９２１  メモリ、９２２  補助記憶装置、９３０  入力インタフェース、９４０  出力インタフェース、９５０  通信装置、９６０  二次元コードリーダ。
【図１】
2020047144.tif 000003
【図２】
2020047144.tif 000004
【図３】
2020047144.tif 000005
【図４】
2020047144.tif 000006
【図５】
2020047144.tif 000007
【図６】
2020047144.tif 000008
【図７】
2020047144.tif 000009
【図８】
2020047144.tif 000010
【図９】
2020047144.tif 000011
【図１０】
2020047144.tif 000012
【図１１】
2020047144.tif 000013
【図１２】
2020047144.tif 000014
【図１３】
2020047144.tif 000015
【図１４】
2020047144.tif 000016
【図１５】
2020047144.tif 000017
【図１６】
2020047144.tif 000018
【図１７】
2020047144.tif 000019
【図１８】
2020047144.tif 000020
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
口座管理装置に管理されている口座であって電子マネーがチャージされている口座を用いて、電子マネーにより支払先に決済するキャッシュレス決済装置と、前記支払先に具備される支払先装置とを有するキャッシュレス決済システムにおいて、
前記キャッシュレス決済装置は、
前記口座管理装置に管理されている親口座の利用者である親ユーザから、前記親口座にチャージされている電子マネーを移動する先の子口座の作成の依頼と、前記子口座にチャージされている電子マネーを利用する子ユーザの年令および性別を含む属性を表す属性情報とを含む子口座作成依頼を受け付け、前記子口座の作成を指示する子口座作成指示を前記口座管理装置に送信する子口座作成部と、
前記子口座を識別する子口座識別情報と前記子ユーザの前記属性情報とを含む二次元コードを生成し、前記子ユーザにより所有される媒体に前記二次元コードを印刷するコード生成部と
を備え、
前記支払先装置は、
前記子ユーザにより前記媒体を介して提示された前記二次元コードに含まれる前記子口座識別情報と前記属性情報とを読み取り、前記子ユーザの年令および性別を含む前記属性情報をディスプレイに表示し、前記ディスプレイに表示された前記子ユーザの年令および性別を含む前記属性情報と、前記媒体を提示した前記子ユーザの属性とが合致するか否かを前記支払先装置の利用者に判定させる読取部と、
合致すると判定されたことを表す合致信号を取得すると、前記子口座識別情報に基づいて、前記子口座から前記子ユーザが支払いをする支払先の口座に支払い金額を電子マネーにより決済することを要求する決済要求を前記キャッシュレス決済装置に送信する決済要求部と
を備えたキャッシュレス決済システム。
【請求項２】
前記子口座作成部は、
前記親口座を識別する親口座識別情報と、前記子口座識別情報と、前記子ユーザの年令および性別を含む前記属性情報とを対応付けた口座関連情報を記憶部に記憶し、
前記コード生成部は、
前記口座関連情報に基づいて、前記二次元コードを作成する請求項１に記載のキャッシュレス決済システム。
【請求項３】
前記キャッシュレス決済装置は、
前記決済要求を前記支払先から受信すると、前記子口座から前記支払先の口座に前記支払い金額を決済することを指示する決済指示を前記口座管理装置に送信する決済指示部を備えた請求項１または請求項２に記載のキャッシュレス決済システム。
【請求項４】
前記キャッシュレス決済装置は、
前記親ユーザによる前記子口座に対する処理の依頼を前記親ユーザから受け付け、前記子口座に対する処理を行う子口座処理指示を前記口座管理装置に送信する子口座処理部を備えた請求項１から請求項３のいずれか１項に記載のキャッシュレス決済システム。
【請求項５】
前記子口座処理部は、
前記親ユーザにより前記子ユーザに使用が許可された金額の通貨を前記親口座から前記子口座に移動する依頼を、前記子口座に対する処理の依頼として受け付け、前記通貨を前記親口座から前記子口座に移動する前記子口座処理指示を前記口座管理装置に送信する請求項４に記載のキャッシュレス決済システム。
【請求項６】
前記子口座処理部は、
前記子口座にチャージされている金額を参照する依頼を、前記子口座に対する処理の依頼として受け付け、前記子口座にチャージされている金額を取得する前記子口座処理指示を前記口座管理装置に送信する請求項４または請求項５に記載のキャッシュレス決済システム。
【請求項７】
前記子口座処理部は、
前記子口座にチャージされている金額の少なくとも一部を前記親口座に戻す依頼を、前記子口座に対する処理の依頼として受け付け、前記子口座にチャージされている金額の少なくとも一部を前記親口座に戻す前記子口座処理指示を前記口座管理装置に送信する請求項４から請求項６のいずれか１項に記載のキャッシュレス決済システム。
【請求項８】
前記子口座処理部は、
前記子口座の利用を少なくとも一時停止する依頼を、前記子口座に対する処理の依頼として受け付け、前記子口座の利用を少なくとも一時停止する前記子口座処理指示を前記口座管理装置に送信する請求項４から請求項７のいずれか１項に記載のキャッシュレス決済システム。
【請求項９】
前記読取部は、
前記子ユーザからパスワードを受け付け、前記子口座識別情報と前記パスワードを前記キャッシュレス決済装置に送信し、
前記キャッシュレス決済装置は、
前記子口座識別情報と前記パスワードに基づいて、前記パスワードの正当性を判定し、前記パスワードの正当性の判定結果を前記支払先装置に送信する判定部を備え、
前記決済要求部は、
前記判定結果により前記子ユーザの正当である場合に、前記決済要求を送信する請求項１から請求項８のいずれか１項に記載のキャッシュレス決済システム。
【請求項１０】
口座管理装置に管理されている口座であって電子マネーがチャージされている口座を用いて、電子マネーにより支払先に決済するキャッシュレス決済装置と、前記支払先に具備される支払先装置とを有するキャッシュレス決済システムのキャッシュレス決済方法において、
前記キャッシュレス決済装置の子口座作成部が、前記口座管理装置に管理されている親口座の利用者である親ユーザから、前記親口座にチャージされている電子マネーを移動する先の子口座の作成の依頼と、前記子口座にチャージされている電子マネーを利用する子ユーザの年令および性別を含む属性を表す属性情報とを含む子口座作成依頼を受け付け、前記子口座の作成を指示する子口座作成指示を前記口座管理装置に送信し、
前記キャッシュレス決済装置のコード生成部が、前記子口座を識別する子口座識別情報と前記子ユーザの年令および性別を含む前記属性情報とを含む二次元コードを生成し、前記子ユーザにより所有される媒体に前記二次元コードを印刷し、
前記支払先装置の読取部が、前記子ユーザにより前記媒体を介して提示された前記二次元コードに含まれる前記子口座識別情報と前記属性情報とを読み取り、前記子ユーザの年令および性別を含む前記属性情報をディスプレイに表示し、前記ディスプレイに表示された前記子ユーザの年令および性別を含む前記属性情報と、前記媒体を提示した前記子ユーザの属性とが合致するか否かを前記支払先装置の利用者に判定させ、
前記支払先装置の決済要求部が、合致すると判定されたことを表す合致信号を取得すると、前記子口座識別情報に基づいて、前記子口座から前記子ユーザが支払いをする支払先の口座に支払い金額を電子マネーにより決済することを要求する決済要求を前記キャッシュレス決済装置に送信するキャッシュレス決済方法。
【請求項１１】
口座管理装置に管理されている口座であって電子マネーがチャージされている口座を用いて、電子マネーにより支払先に決済するキャッシュレス決済装置と、前記支払先に具備される支払先装置とを有するキャッシュレス決済システムのキャッシュレス決済プログラムにおいて、
前記キャッシュレス決済装置の子口座作成部が、前記口座管理装置に管理されている親口座の利用者である親ユーザから、前記親口座にチャージされている電子マネーを移動する先の子口座の作成の依頼と、前記子口座にチャージされている電子マネーを利用する子ユーザの年令および性別を含む属性を表す属性情報とを含む子口座作成依頼を受け付け、前記子口座の作成を指示する子口座作成指示を前記口座管理装置に送信する子口座作成処理と、
前記キャッシュレス決済装置のコード生成部が、前記子口座を識別する子口座識別情報と前記子ユーザの年令および性別を含む前記属性情報とを含む二次元コードを生成し、前記子ユーザにより所有される媒体に前記二次元コードを印刷するコード生成処理と、
前記支払先装置の読取部が、前記子ユーザにより前記媒体を介して提示された前記二次元コードに含まれる前記子口座識別情報と前記属性情報とを読み取り、前記子ユーザの年令および性別を含む前記属性情報をディスプレイに表示し、前記ディスプレイに表示された前記子ユーザの年令および性別を含む前記属性情報と、前記媒体を提示した前記子ユーザの属性とが合致するか否かを前記支払先装置の利用者に判定させる読取処理と、
前記支払先装置の決済要求部が、合致すると判定されたことを表す合致信号を取得すると、前記子口座識別情報に基づいて、前記子口座から前記子ユーザが支払いをする支払先の口座に支払い金額を電子マネーにより決済することを要求する決済要求を前記キャッシュレス決済装置に送信する決済要求処理と
をコンピュータに実行させるキャッシュレス決済プログラム。